(57)【要約】【課題】増設アタッチメントの着脱に対しても、メニュー表示において必要な項目だけを機能的にまとめ且つ変化した項目を判り易く表示するデジタル放送受像機を提供する。【解決手段】受像機本体の機能に対応する本機項目と、接続する可能性のあるアタッチメントの機能に対応する付属項目とを、メニュー情報として機能項目記憶手段１１に格納し、メニュー表示手段１２によりメニュー情報のうち少なくとも本機項目の全てを含む所定の項目を表示項目としてメニュー形式で表示する。追加／削除がなされたアタッチメント１０の機能を機能判別手段１３で判別し、メニュー編集手段１４にて、メニュー表示手段１２で表示する表示項目として付属項目のうち追加がなされた機能の付属項目を追加、削除がなされた機能に対してはその付属項目を適時削除する。メニュー編集手段１４は追加／削除がなされる機能の表示項目を強調する表示強調手段１５を有する。【選択図】　　　　図１
2004088618.tif 000002
【特許請求の範囲】
【請求項１】
アタッチメントの接続又は接続及び取外しにより、機能の追加又は追加及び削除が可能なデジタル放送受像機であって、
当該デジタル放送受像機の機能に対応する項目である本機項目と、接続する可能性のあるアタッチメントの機能に対応する項目である付属項目とを、メニュー情報として記憶した機能項目記憶手段と、
前記メニュー情報のうち少なくとも本機項目の全てを含む所定の項目を、表示項目としてメニュー形式で表示するメニュー表示手段と、
追加又は追加及び削除が行われた前記アタッチメントの機能を判別する機能判別手段と、
前記メニュー表示手段で表示する表示項目として、前記付属項目のうち追加がなされた機能の付属項目を追加し、前記付属項目のうち削除がなされた機能に対してはその付属項目を適時削除するメニュー編集手段と、を備え、
前記メニュー編集手段は、追加又は追加及び削除がなされる機能の表示項目を強調する表示強調手段を有することを特徴とするデジタル放送受像機。
【請求項２】
前記表示強調手段は、追加又は追加及び削除がなされる機能に対応した表示項目を文字或いは記号で強調する手段を有することを特徴とする請求項１記載のデジタル放送受像機。
【請求項３】
前記表示強調手段は、追加又は追加及び削除がなされる機能に対応した表示項目を点滅させることにより強調する手段を有することを特徴とする請求項１又は２記載のデジタル放送受像機。
【請求項４】
前記表示強調手段は、追加又は追加及び削除がなされる機能に対応した表示項目を、他の表示項目と異なる色にすることにより強調する手段を有することを特徴とする請求項１乃至３のいずれか１記載のデジタル放送受像機。
【請求項５】
前記表示強調手段は、削除がなされる機能に対応した表示項目に対しては、該表示項目を半透明に表示することにより強調することを特徴とする請求項１乃至４のいずれか１記載のデジタル放送受像機。
【請求項６】
前記表示強調手段は、所定回数強調表示した時に、追加又は追加及び削除がなされる機能に対応した表示項目の強調表示を解除する強調解除手段を有し、該強調解除手段は、削除がなされる機能に対応した表示項目に対しては、該表示項目を削除することを特徴とする請求項１乃至５のいずれか１記載のデジタル放送受像機。
【請求項７】
前記表示強調手段は、強調後、所定時間が経った時に、追加又は追加及び削除がなされる機能に対応した表示項目の強調表示を解除する強調解除手段を有し、該強調解除手段は、削除がなされる機能に対応した表示項目に対しては、該表示項目を削除することを特徴とする請求項１乃至５のいずれか１記載のデジタル放送受像機。
【請求項８】
前記強調解除手段は、追加又は追加及び削除がなされる機能に対応した表示項目の強調表示を、徐々に変化させるよう調整する強調調整手段を有することを特徴とする請求項６又は７記載のデジタル放送受像機。
【請求項９】
前記表示強調手段は、追加がなされる機能に対応した表示項目の強調表示を、新たな機能の追加に伴う強調表示を行う際に解除し、削除がなされる機能に対応した表示項目の強調表示に対しては、新たな機能の削除に伴う強調表示を行う際に解除して該表示項目を削除する強調解除手段を有することを特徴とする請求項１乃至５のいずれか１記載のデジタル放送受像機。
【請求項１０】
接続されている前記アタッチメントに対し、接続を示す表示を行うインジケータを備え、追加又は追加及び削除がなされる機能の表示項目を色により強調表示する場合、前記インジケータの表示色を表示項目の色と同じにすることを特徴とする請求項４記載のデジタル放送受像機。
【請求項１１】
前記機能項目記憶手段は、接続する可能性のあるアタッチメントに対し、該アタッチメントの色或いは該アタッチメントに表示されている文字又は記号を、前記表示強調手段で強調するための色或いは文字又は記号として、予め記憶しておくことを特徴とすることを特徴とする請求項４記載のデジタル放送受像機。
【請求項１２】
前記メニュー表示手段は、前記アタッチメントの接続又は接続及び取外しがなされた際に、前記アタッチメントの機能の概略を説明表示するガイド手段を備えたことを特徴とする請求項１乃至１１のいずれか１記載のデジタル放送受像機。
【請求項１３】
機能項目記憶手段は、接続予定のあるアタッチメントの機能及び前記メニュー表示手段での表示方法を登録する手段を有することを特徴とする請求項１乃至１２のいずれか１記載のデジタル放送受像機。
【請求項１４】
前記アタッチメントがチューナタイプのアタッチメントであった場合に、該アタッチメントが接続されたとき、選局に必要な情報を電波より取得する情報取得手段と、該情報取得手段で取得した情報を選局キーに設定する情報設定手段とを備えることを特徴とする請求項１乃至１３のいずれか１記載のデジタル放送受像機。
【請求項１５】
前記チューナタイプのアタッチメントが接続されたときに、前記情報設定手段にて情報の選局キーへの設定を行ったかどうか判別する設定判別手段を備え、前記情報取得手段は、既に情報の選局キーへの設定が終わっている２回目以降の接続に対しては、情報の取得を行わないことを特徴とする請求項１４記載のデジタル放送受像機。
【発明の詳細な説明】
【０００１】
【発明の属する技術分野】
本発明は、デジタル放送受像機に関する。
【０００２】
【従来の技術】
従来、受信機のような組み込み型の装置において、着脱式のアタッチメントを取り扱う場合には、全てのアタッチメントが接続された状態を基準にメニューを作成し、次に示す２通りの方法を用いて機能選択の可／不可をユーザに提示していた。このことは、デジタル放送受信機についても同様である。なお、アタッチメントの着脱により機能の追加／削除が可能なデジタル放送受信機としては、例えば特開平１１−２３４５８０号公報に記載がある。
【０００３】
まず１つ目は、メニューの項目数は変更せずに、選択不可能な機能の項目を暗色とし、選択できないことを暗示する方法である。２つ目は、選択不可能な項目をメニュー項目には表示せず、選択可能となった段階で、改めてメニューに追加する方法である。
【０００４】
しかしながら、１つ目の方法の場合、メニュー項目の総数が変更されないため、表示の作成が簡単である反面、不必要な機能項目が、ユーザ操作数の増加や、紛らわしさを与えてしまう。また、２つ目の方法の場合、不必要な項目がないのですっきりしたメニューになる反面、予め表示した項目の最後に追加項目を追加すると項目の並びと機能の並びが不揃いになり、また、機能の並びが合うように項目を追加すると追加されたことが判り辛くなってしまう。さらに、アタッチメントとして着脱式のチューナを装着した際には、選局可能なチャンネル情報を再取得する必要がある。
【０００５】
【発明が解決しようとする課題】
上述のごとく、従来のデジタル放送受信機において着脱式のアタッチメントを取り扱う場合には全てのアタッチメントが接続された状態を基準にメニューを作成していた。しかしながら、ユーザに対して提示するメニューの項目数は変更せずに、選択不可能な機能の項目を暗色とし、選択できないことを暗示すると、不必要な機能項目が、ユーザ操作数の増加や、紛らわしさの原因となる。別の方法として、選択不可能な項目をメニュー項目には表示せず、選択可能となった段階で、改めてメニューに追加すると、項目の並びと機能の並びが不揃いになり、機能の並びが合うように項目を追加すると、追加されたことが判り辛くなってしまう。また、着脱式のチューナを装着した際には、選局可能なチャンネル情報を再取得する必要がある。
【０００６】
本発明は、上述のごとき実情に鑑みてなされたものであり、デジタル放送受像機においてユーザに対して提示するメニューの項目に関し、着脱式のアタッチメントを取り扱う場合に、デジタル放送受像機本体に備わった機能の項目に加え、そのアタッチメントに係わる機能の追加又は追加及び削除に伴うメニューの表示を、必要な項目だけ機能的にまとめ、且つ変化した項目を判り易く行うことで、ユーザの使い勝手を向上させることが可能な、デジタル放送受像機を提供することをその目的とする。
【０００７】
また、本発明は、このデジタル放送受像機において、着脱式のチューナを装着した場合に必要となる選局可能なチャンネルの情報などを取得することが可能な、特に情報の再取得を必要とせず情報をもつことが可能な、デジタル放送受像機を提供することを他の目的とする。
【０００８】
【課題を解決するための手段】
本発明は、アタッチメントの接続又は接続及び取外しにより、機能の追加又は追加及び削除が可能なデジタル放送受像機であって、当該デジタル放送受像機の機能に対応する項目である本機項目と、接続する可能性のあるアタッチメントの機能に対応する項目である付属項目とを、メニュー情報として格納した機能項目記憶手段と、前記メニュー情報のうち少なくとも本機項目の全てを含む所定の項目を、表示項目としてメニュー形式で表示するメニュー表示手段と、追加又は追加及び削除が行われた前記アタッチメントの機能を判別する機能判別手段と、前記メニュー表示手段で表示する表示項目として、前記付属項目のうち追加がなされた機能の付属項目を追加し、前記付属項目のうち削除がなされた機能に対してはその付属項目を適時削除するメニュー編集手段と、を備え、前記メニュー編集手段は、追加又は追加及び削除がなされる機能の表示項目を強調する表示強調手段を有することを特徴とし、必要な項目だけを機能的にまとめて且つ変化した項目を判り易く表示させ、ユーザの使い勝手を向上させたものである。
【０００９】
また、本発明は、上述のデジタル放送受像機において、前記アタッチメントがチューナタイプのアタッチメントであった場合に、該アタッチメントが接続されたとき、選局に必要な情報を電波より取得する情報取得手段と、該情報取得手段で取得した情報を選局キーに設定する情報設定手段とを備えることを特徴とし、着脱するアタッチメントに依らずに情報の再取得を必要としないようにしたものである。
【００１０】
上述のごとく、本発明に係るデジタル放送受像機においては、増設アタッチメントの着脱に対して、そのアタッチメントの機能を追加する際又は追加や削除する際（以下、追加／削除する際、と略す）に、その機能に対応したメニューの項目を強調表示することによって、必要な項目だけを機能的にまとめて且つ変化した項目を判り易く表示させ、ユーザの使い勝手を向上させる。すなわち、機能を追加／削除する際に、視覚的に判り易い処理を加える。具体的には、機能を追加／削除する項目に対して点滅，色変更，マーキング等の強調表示を行ない、その項目の追加／削除の発生をユーザに認識し易くする。また、他の形態においては、機能を追加／削除した後、一定回数の掲示や一定期間の経過をカウントする機構を設ける。具体的には、点滅，色変更，マーキング等を一定回数又は一定期間実施後は、通常表示／消去し、機能毎に整頓された、不必要な項目のない表示を実現する。さらに、チューナタイプのアタッチメントに対しては、その装着時に必要な選局可能なチャンネル情報の取得を、アタッチメント装着時に自動実行する手段と、自動実行の必要性を判断するための手段を設ける。
【００１１】
【発明の実施の形態】
図１は、本発明の一実施形態に係るデジタル放送受像機の基本構成例を示すブロック図である。
本発明の一実施形態に係るデジタル放送受像機（デジタル放送受信機ともいう）は、外部接続機器（アタッチメントともいう）１０の接続により又は接続及び取外しにより、機能の追加又は追加及び削除が可能な受像機であり、後述する機能項目記憶手段１１，メニュー表示手段１２，機能判別手段１３，メニュー編集手段１４（表示強調手段１５を含む）を少なくとも備えるものとする。なお、これら各手段１１〜１５は、図１においてはグラフィックス生成部７に含むものとして説明するが、ＲＯＭ等の記憶手段に格納された各種プログラム（各手段１１〜１５としてＣＰＵ３等の演算装置を機能させるためのプログラム）をＣＰＵ３に、或いは他の演算装置に実行させる形態を採用してもよい。
【００１２】
図１で例示するデジタル放送受像機においては、その基本構成として、チューナ及び復調部１，トランスポートストリーム（ＴＳ）デコーダ２，ＣＰＵ３，ＡＶデコーダ４，音声出力部５，映像出力部６，グラフィックス生成部７，メモリ８，外部機器接続インターフェース９を備えるものとするが、本発明は、デジタル放送が受像可能で、且つ外部接続機器１０が接続可能なデジタル放送受像機であればよい。外部接続機器１０は、デジタル放送受像機の外部に接続する機器であり、ここではデジタル放送受信機のネットワークを拡張するための地上波デジタル放送受信用の着脱式チューナを例として挙げ、説明する。チューナ以外のアタッチメントの例としては、メモリカードやモデムなどが挙げられる。なお、このデジタル放送受像機には、受信した映像及び音声を再生する表示装置やスピーカなどを含む形態でも、含まず別途接続する形態でもよい。
【００１３】
チューナ及び復調部１では、デジタル放送の受信と復調を行う。ＴＳデコーダ２では、復調されたデータからＣＰＵ３によって指示されたＴＳのフィルタリングを行う。ＣＰＵ３では、利用者（ユーザ）からの指示に応じてＴＳデコーダ２，ＡＶデコーダ４への指示や、画面表示の制御等を行う。メモリ８では、ＣＰＵ３がＴＳデコーダ２から受け取ったデータを格納する。外部機器接続インターフェース９は、外部接続機器１０を接続するためのインターフェースであり、例えばＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）スロット等が該当する。
【００１４】
グラフィックス生成部７では、ＣＰＵ３から指示されるメニュー等のＯＳＤ（Ｏｎ　Ｓｃｒｅｅｎ　Ｄｉｓｐｌａｙ）を生成する。実際、デジタル放送受信機では、映像や音声の出力方法を変更したり、予約した番組を確認したりするために、ＯＳＤによるメニューを用いることが多い。このようなメニューには、通常、映像設定や音声設定などの様々な項目が存在する。
【００１５】
ＡＶデコーダ４では、ＴＳデコーダ２から入力されるストリームのデコードと、映像音声の出力を行う。音声出力部５では、ＡＶデコーダ４からの音声を出力する。映像出力部６では、ＡＶデコーダ４からの映像やグラフィックス生成部７からのＯＳＤを出力する。
【００１６】
ここで、グラフィックス生成部７において本発明による特徴的なメニューを生成するに際して必要となる各手段１１〜１５を順に説明する。
機能項目記憶手段１１は、本機項目と付属項目とを、メニュー情報として記憶、格納するための手段である。ここで本機項目とは、デジタル放送受信機本体の機能に対応する項目であり、付属項目とは、接続する可能性のあるアタッチメント１０の機能に対応する項目である。なお、外部接続機器１０をアタッチメントと説明しているのは、本発明に係るデジタル放送受像機において接続する外部接続機器が、機能項目記憶手段１１に予め記憶された機能に対応する外部接続機器として、すなわち受像機本体の付属機器として、予め定義されているためである。
【００１７】
なお、以降では、機能項目記憶手段１１で記憶されている項目は予め登録されたものとして説明するが、本発明の他の形態としては、機能項目記憶手段１１が、接続予定のあるアタッチメントの機能及びメニュー表示手段１２での表示方法を登録するメニュー項目追加手段を有するようにしてもよい。
【００１８】
メニュー表示手段１２は、メニュー情報のうち少なくとも本機項目の全てを含む所定の項目を、表示項目としてメニュー形式で表示するための手段である。したがって、表示されたメニュー画面には表示項目が並んでいることとなる。メニュー表示手段１２は、ＬＣＤ（Ｌｉｑｕｉｄ　Ｃｒｙｓｔａｌ　Ｄｉｓｐｌａｙ），ＣＲＴ（Ｃａｔｈｏｄｅ−Ｒａｙ　Ｔｕｂ），ＰＤＰ（Ｐｌａｓｍａ　Ｄｉｓｐｌａｙ　Ｐａｎｅｌ）ディスプレイ等の表示装置に表示するための画像処理を行う手段であるが、表示装置を含める形態でもよい。
【００１９】
機能判別手段１３は、外部機器接続インターフェース９において追加／削除が行われたアタッチメントの機能を判別する手段である。なお、機能判別手段１３では、例えば、追加／削除が行われたアタッチメントの機能そのものではなく、機能の種別を判別するようにしてもよい。メニュー編集手段１４では、メニュー表示手段１２で表示する表示項目として、機能判別手段１３での判別結果に基づいて、付属項目のうち追加がなされた機能の付属項目を追加し、付属項目のうち削除がなされた機能の付属項目を、適時削除する。メニュー編集手段１４は、さらに、追加／削除がなされる機能の表示項目を強調する表示強調手段１５を有するものとする。
【００２０】
表示強調手段１５は、機能判別手段１３での判別結果に基づいて、追加／削除がなされる機能に対応した表示項目を文字或いは記号で強調する手段を有するものとする。表示の強調方法としては、その他の方法でも良く、例えば、表示強調手段１５が、追加／削除がなされる機能に対応した表示項目を、点滅させることにより強調する手段や他の表示項目と異なる色にすることにより強調する手段を有するようにしてもよい。さらに、表示強調手段１５は、削除がなされる機能に対応した表示項目を、半透明に表示することにより強調する手段を有するようにしてもよい。なお、追加／削除がなされる機能に対応した表示項目を強調する方法をユーザに選択させるための手段を有するようにしてもよい。これらのいずれかの手段或いはこれらを組み合わせた手段により、追加／削除された部分を強調することで、追加／削除されて順番が変わったことでユーザが混乱することを避けると共に何が追加／削除されたかをより判り易く伝えることが可能となる。
【００２１】
上述のごとき強調表示により、強調される表示項目に対応する機能が、追加／削除されたことをユーザ認識可能に表すためには、回数や時間などで強調表示に制限を設けることが必要となる。すなわち、ずっと強調表示される煩わしさを解消すると共に、次の追加／削除がある場合に追加／削除されたところの違いをユーザ認識可能とする。
【００２２】
したがって、表示強調手段１５は、様々な形態の、強調表示を止める強調解除手段を有するようにしてもよい。ただし、この強調解除手段は、削除がなされる機能に対応した表示項目に対しては、その表示項目を削除するようにしておく必要がある。ここでの削除が、メニュー編集手段１４において説明した適時削除に相当する。
【００２３】
強調解除手段の一形態として、所定回数強調表示した時に、追加／削除がなされる機能に対応した表示項目の強調表示を止めるようにしてもよい。また、強調解除手段の他の形態として、強調後、所定時間が経った時に、追加／削除がなされる機能に対応した表示項目の強調表示を止めるようにしてもよい。さらに、これらの形態に係る強調解除手段において、強調を調整する強調調整手段を備えてもよい。この強調調整手段では、追加／削除がなされる機能に対応した表示項目の強調表示（印や色の違い）を、徐々に変化させるよう調整し、いつ追加／削除されたかをユーザ認識可能とすると共に、違う時期に追加／削除された項目をユーザ認識させることが可能となる。
【００２４】
他の形態の強調解除手段としては、追加がなされる機能に対応した表示項目の強調表示を、新たな機能の追加に伴う強調表示を行う際に解除し、削除がなされる機能に対応した表示項目の強調表示に対しては、新たな機能の削除に伴う強調表示を行う際に解除してその表示項目を削除するようにして、常に１つの追加／削除された機能のみ強調表示されるようにしておいてもよい。
【００２５】
以下、本実施形態に係るデジタル放送受像機の一実施例として、強調表示を所定回数だけ行う処理の一例を説明する。
まず、ここでは、機能項目記憶手段１１の一例として、デジタル放送の各種設定を行うメニューを表示するために、メニューの各種項目を登録したテーブル（以下、メニュー項目テーブルと呼ぶ）を用いることとする。このメニュー項目テーブルは、受信機に予め準備されていることとなる。
【００２６】
また、ここでは説明の簡略化のため、メニューの項目を、映像及び音声の出力形式を設定する「映像音声設定」、番組の予約録画方法を指定する「予約録画設定」、受信可能なチャンネルを自動的に検索する「チャンネルサーチ」、アンテナの受信状態を確認する「アンテナ強度表示」、の４つと仮定する。このうち「映像音声設定」，「予約録画設定」，「アンテナ強度表示」は本機項目であり、メニュー表示手段１２により常に表示項目として表示処理される。また、「チャンネルサーチ」は地上波デジタル放送受信用の着脱式チューナ１０が接続されている場合にのみ表示項目となって表示される付属項目である。なお、外部機器接続インターフェース９が複数備えられている受像機の場合には、アタッチメントの機能に対応する表示項目を複数、表示することが可能となる。
【００２７】
図２は、地上波デジタル放送受信用着脱式チューナを接続していない状態のメニュー項目テーブルの一例を示す図である。
ここで例示するメニュー項目テーブル３０ａは、各メニュー項目３１，その表示フラグ３２，表示回数３３から成る構成をもつものとする。また、メニュー項目３１としては、上述の仮定により、「映像音声設定」項目３４，「予約録画設定」項目３５，「チャンネルサーチ」項目３６，「アンテナ強度表示」項目３７が存在する。また、表示フラグ３２は、表示回数３３と合わせて、現在のデジタル放送受像機の状態（アタッチメントの接続状態）で表示する必要があるかどうかを示すフラグである。表示回数３３は、メニューの各項目３４〜３７を表示した回数を示し、常に表示される本機項目については「−」を設定する。メニューを表示する際、ＯＳＤに表示するメニュー項目の順番は、例えばメニュー項目テーブルへのエントリの順序とする。これにより、機能の並びが合うような順序にメニューが表示できるようになる。メニュー項目テーブル３０ａにおいて、表示フラグ３２が「ＴＲＵＥ」且つ表示回数が「−」の項目は常に表示するものとする。一方、表示フラグ３２が「ＦＡＬＳＥ」且つ表示回数３３が０の項目は表示しない。
【００２８】
図３は、図２のメニュー項目テーブルに対応した、地上波デジタル放送受信用着脱式チューナを接続していない状態のメニュー画面の一例を示す図である。
図２に示すメニュー項目テーブル３０ａでは、アタッチメントである地上波デジタル放送受信用着脱式チューナを接続していない状態の情報となっているので、メニュー画面に表示される表示項目は、アタッチメントに対応していないメニュー項目となっている。すなわち、「チャンネルサーチ」項目３６の表示フラグ３２は表示しない状態「ＦＡＬＳＥ」になっている。この状態でメニューを表示した場合、図３に示すように、表示フラグ３２が「ＴＲＵＥ」且つ表示回数３３が「−」である、「映像音声設定」４４，「予約録画設定」４５，「アンテナ強度表示」４７の各項目がこの順番で表示され、ユーザはこの各表示項目の中から設定したい項目を選択して設定を行うこととなる。一方、表示フラグ３２が「ＦＡＬＳＥ」且つ表示回数３３が０の項目「チャンネルサーチ」は表示されない。
【００２９】
図４は、地上波デジタル放送受信用着脱式チューナを接続した直後の状態のメニュー項目テーブルの一例を示す図である。
上述のごときデジタル放送受信機に、地上波デジタル放送受信用の着脱式チューナ１０を接続した場合の、メニューを表示する処理について説明する。
まず、利用者により地上波デジタル放送受信用の着脱式チューナ１０が、外部機器接続インターフェース９に接続される。ＣＰＵ３は、地上波デジタル放送受信用着脱式チューナ１０が接続されたことを検出する。着脱式チューナ１０を検出した際、ＣＰＵ３は図２のメニュー項目テーブル３０ａからこれに対応する項目を走査する。ＣＰＵ３は走査の結果、着脱式チューナ１０に対応した「チャンネルサーチ」項目３６の表示フラグ３２が「ＦＡＬＳＥ」であることを検出し、これを「ＴＲＵＥ」に変更する。また、「チャンネルサーチ」項目３６に対応する表示回数３３を０回に初期化する。結果として、メニュー項目テーブル３０ａは図４に示すメニュー項目テーブル３０ｂのように修正される。
【００３０】
図５は、図４のメニュー項目テーブルに対応した、地上波デジタル放送受信用着脱式チューナを接続した直後の状態のメニュー画面の一例を示す図である。
図４に示すメニュー項目テーブル３０ｂのメニュー項目のうち、表示フラグ３２が「ＴＲＵＥ」で且つ表示回数が一定回数以下の場合、メニュー画面の対応する項目に例えば「★」印を表示する。メニュー項目テーブルが図４の状態では、「チャンネルサーチ」項目３６が該当するため、図５のように「チャンネルサーチ」４６に「★」印４６ａが付されたメニュー画面４０ｂが表示される。追加されて間もない項目に「★」印等のマークが付くことにより、利用者に判り易く提示されることとなる。
【００３１】
図６は、図４のメニュー項目テーブルに対応した、地上波デジタル放送受信用着脱式チューナを接続してから一定条件をクリアした状態のメニュー画面の一例を示す図である。
また、メニュー画面を表示したとき、ＣＰＵ３は追加された項目である「チャンネルサーチ」の表示回数に１を加える。このようにして複数回メニューを表示したとき、表示回数が一定数以上（例えば１０回以上）になったら、追加されてしばらく経った項目として、「★」印を消して他の項目と同じように表示する。この結果、図５のメニュー画面４０ｂは、図６のように「★」印４６ａのないメニュー画面４０ｃとなる。
【００３２】
以上、着脱式チューナ等のアタッチメントが接続されメニュー項目が追加されたときに強調表示することにより、追加されて順番が変わったことで混乱するのを避けるとともに何が追加されたかがより分かり易いようになる。また、同様の処理を行い、メニュー項目テーブルの表示フラグが「ＴＲＵＥ」且つ表示回数が一定回数以下の項目を、点滅させて表示することでも、追加されて間もない項目を、利用者に判り易く提示することができる。さらに、同様の処理を行い、メニュー項目テーブルの表示フラグが「ＴＲＵＥ」且つ表示回数が一定回数以下の項目の色を変えて表示することでも、同様の効果を得ることが可能である。
【００３３】
次に、機能の削除に関する説明として、地上波デジタル放送受信用の着脱式チューナを外したとき、メニューから削除された項目に×印をつけて表示する処理について説明する。この場合も同様に、図２のようなメニューを表示するためのメニュー項目テーブルを持つ。デジタル放送受像機の状態として、地上波デジタル放送受信用の着脱式チューナを接続し、且つ一定回数以上メニュー画面を表示することにより、図６のようにメニュー画面が表示される状態を仮定する。
【００３４】
図７は、地上波デジタル放送受信用着脱式チューナを外した直後の状態のメニュー項目テーブルの一例を示す図である。
まず、利用者により地上波デジタル放送受信用着脱式チューナ１０が、外部機器接続インターフェース９から外される。例えば図２を再度参照すると、このとき、ＣＰＵ３は現状のメニュー項目テーブル３０ａから対応項目を走査する。その結果、地上波デジタル放送受信用の着脱式チューナ１０に対応した項目である「チャンネルサーチ」３６を検出し、これに対応する表示フラグ３２を「ＦＡＬＳＥ」に設定する。また、表示回数を、一定回数（図７では１０）に設定する。結果として、メニュー項目テーブル３０ａは図７のメニュー項目テーブル３０ｄのように修正される。
【００３５】
図８は、図７のメニュー項目テーブルに対応した、地上波デジタル放送受信用着脱式チューナを外した直後の状態のメニュー画面の一例を示す図である。
利用者からの指示によりメニュー画面を表示するとき、表示フラグ３２が「ＦＡＬＳＥ」であり、且つ表示回数３３が０以上の場合は、消去されて間もない項目として、メニュー項目に「×」を表示する。メニュー項目テーブルが図７の状態では、「チャンネルサーチ」項目３６が該当するため、図８のように「チャンネルサーチ」４６に「×」印４６ｂが付されたメニュー画面４０ｄが表示される。また、メニューの表示と同時に、ＣＰＵ３は表示回数を１減らす。なお、「×」が表示されているメニュー項目は無効になっており、利用者はこの項目を利用することはできない。なお、複数回メニュー画面が表示されると、表示フラグが「ＦＡＬＳＥ」の項目の表示回数は減少していき、０となる。表示フラグが「ＦＡＬＳＥ」で表示回数が０のメニュー項目は表示しないので、このときにメニュー画面を表示すると、図３の状態で表示されることとなる。
【００３６】
以上により、メニュー項目が削除されて順番が変わることや今まであったものがなくなることで混乱を避けると共に、何が削除されたかがより分かり易いようになる。また、同様の処理を行い、表示フラグが「ＦＡＬＳＥ」であり、且つ表示回数が０以上の項目の色を変えて表示することでも、削除されて間もない項目を、利用者に判り易く提示することができる。また、同様に、表示フラグが「ＦＡＬＳＥ」であり、且つ表示回数が０以上の項目を点滅させて表示することでも同様の効果を得ることができる。さらに、同様の処理を行い、表示フラグが「ＦＡＬＳＥ」であり、且つ表示回数が０以上の項目を半透明に表示することでも同様の効果を得ることができる。
【００３７】
上述のごとく、追加／削除された項目を、表示フラグと表示回数とを管理することによって、強調表示が継続される煩わしさを解消すると共に、次の追加／削除が発生した際に、新規の変更点のみを強調することも可能となる。具体的には、追加の際には、表示フラグを「ＴＲＵＥ」且つ表示回数を「０」とし、メニューを表示する度に該当項目の表示回数に１を加える。このようにして複数回メニューを表示した後、表示回数が一定数以上（例えば１０回以上）になったなら、表示回数を「−」とし、強調表示を止める。一方、削除の際には、表示フラグを「ＦＡＬＳＥ」且つ表示回数を一定数（例えば１０）とし、メニューを表示する度に該当項目の表示回数から１を減ずる。このようにして複数回メニューを表示した後、表示回数が「０」になったなら、強調表示を止める。
【００３８】
以上、本実施形態に係るデジタル放送受像機の一実施例として一定回数を超えると強調表示を止める例を説明したが、次に、強調表示を時間（表示時間，日数を例とする）で管理する処理の一例を説明する。
【００３９】
図９は、地上波デジタル放送受信用着脱式チューナを接続又は非接続した直後の状態のメニュー項目テーブルの他の例を示す図で、表示が時間で管理されたメニュー項目テーブルの一例を示す図である。図９（Ａ）は接続直後で表示時間が０時間である場合の、図９（Ｂ）は非接続直後で表示時間が１０時間である場合の、メニュー項目テーブルを示している。また、図１０は、地上波デジタル放送受信用着脱式チューナを接続又は非接続した直後の状態のメニュー項目テーブルの他の例を示す図で、表示が日数で管理されたメニュー項目テーブルの一例を示す図である。図１０（Ａ）は接続直後で表示日数が０日である場合の、図１０（Ｂ）は非接続直後で表示日数が１０日である場合の、メニュー項目テーブルを示している。なお、ここでは、図９，図１０（Ａ）では表示フラグ５２，６２は「ＴＲＵＥ」、図９，図１０（Ｂ）では表示フラグ５２，６２は「ＦＡＬＳＥ」となっている。
【００４０】
強調表示は時間で管理してもよく、例えば、３日間と設定したとすると、３日目までは図５及び図８のような強調表示をするが、４日目以降は図３のような通常の表示に変える。この場合、図４及び図７の表にある「表示回数」の欄は図９（Ａ）及び図９（Ｂ）のメニュー項目テーブル５０ａ，５０ｂにあるような「表示時間数」５３、或いは図１０（Ａ）及び図１０（Ｂ）のメニュー項目テーブル６０ａ，６０ｂにあるような「表示日数」６３のように表示される。
【００４１】
時間経過や日数経過に合わせて、メニュー項目５１（６１）の各項目（「映像音声設定」５４（６４），「予約録画設定」５５（６５），「チャンネルサーチ」５６（６６），「アンテナ強度表示」５７（６７））に対する表示時間５３（表示日数６３）の数字を変化させ、指定しておいた時間に達したら、強調表示を止めるようにすればよい。なお、表示時間として説明しているが、これは単なる経過時間でも、実際に表示している時間でもよい。
【００４２】
さらに、強調表示を突然止めるのではなく、上述した強調調整手段により、表示の回数や日数，時間の変化に合わせて段階的に目立たない表示にしていき、設定した回数や日数、時間に達したら表示を完全に止めることもできる。ＣＰＵ３は表示を行なう度に、メモリ８を参照して表示回数（又は時間，日数）を確認し、表示回数・時間・日数の変化に合わせた強調表示をグラフィックス生成部７に要求する。段階的な表示方法としては例えば、色を薄くしていくなどの方法が考えられる。
【００４３】
次に、上述のごとき様々な形態のデジタル放送受像機が、複数のアタッチメントに対応可能なことを説明する。本発明に係るデジタル放送受像機は、複数のアタッチメント（ＢＳデジタル放送受信用，ＣＳデジタル放送受信用，地上波デジタル放送受信用などの着脱式チューナ）が追加／削除される場合にも対応可能である。例えば、複数のアタッチメント１０が外部機器接続インタフェース９に同時に追加された場合、追加された機能を全て同じ方法で強調表示するのではなく、対応するアタッチメントの機能ごとに色や印、点滅周期を変えることにより、別のアタッチメントの機能であるという区別がつきやすくする。
【００４４】
さらに色や印で区別をつける場合は、アタッチメント本体にも同じ色や印を使うことにより、どのアタッチメントに対応した機能であるかが一目で分かるようにできる。さらにアタッチメントが取り付けられている間は、特定のインジケータ（デジタル放送受像機本体の外面に設けても表示画面上に画像として設けてもよい）を点灯させておけば、アタッチメントにより機能が追加された状態であるということをユーザに常に意識させることができる。この際、点灯するインジケータの色と各アタッチメントに対応した追加機能の強調表示の色を一致させておけば、どのアタッチメントによる機能追加の効果であるかをさらに強く実感させることができる。
【００４５】
さらに、追加／削除がなされる機能の表示項目を色により強調表示する場合には、このインジケータにおける表示色を、その表示項目の色と同じにしてもよい。色を変化させる形態で適用すると、アタッチメントが差された時の変化とメニューの変化を結びつけ、アタッチメントの抜き差しによる変化とメニューの変化の関連づけをより想像しやすくすることも可能である。
【００４６】
また、複数のアタッチメントが追加された場合に、どのアタッチメントをつけたことでどの機能や項目が追加／削除されたのかをより判り易くするために、アタッチメントの色やアタッチメントに表示されている文字や記号と同じものを用いて強調表示してもよい。機能項目記憶手段１１に、接続する可能性のあるアタッチメントに対し、そのアタッチメントの色又はアタッチメントに表示されている文字又は記号を、表示強調手段１５で強調するための色又は文字又は記号として、予め記憶しておくことで可能となる。
【００４７】
次に、他のメニュー表示方法として、メニュー表示手段１２にガイド手段を設けた形態を説明する。ガイド手段は、アタッチメントの接続／取外しがなされた際に、そのアタッチメントの機能の概略を説明表示する手段である。追加／削除された時にどの機能が追加／削除されたかがより判り易く認識できる。
【００４８】
図１１は、地上波デジタル放送受信用着脱式チューナを接続した直後の状態のメニュー画面（追加機能の説明表示）の一例を示す図である。
アタッチメントの着脱による機能の追加／削除が起きた際には、追加／削除された機能の内容についての簡単な説明を、このガイド手段により表示することもできる。例えば、図５及び図８の状態で、図１１のメニュー画面７０に示すように「チャンネルサーチ」７６にカーソルが合った（但し削除されている場合はカーソルが合うだけで選択はできない）場合、「現在受信可能なチャンネルを検索します」というコメント７７ｂをポップアップ表示する。「映像音声設定」７４，「予約録画設定」７５，「アンテナ強度表示」７７に加えて「チャンネルサーチ」７６が追加されたことが「★」印７７ａによりユーザ認識可能となっているうえに、このようなポップアップ等の表示により、ユーザはアタッチメントを取り付けることによって追加される機能が具体的にどのようなものであるかを容易に知ることができる。
【００４９】
次に、アタッチメントがチューナタイプのアタッチメントであった場合に特有の、本発明に係る機能を説明する。なお、この機能は情報を取得する必要のあるタイプの他のアタッチメントにも適用可能である。
【００５０】
上述した様々な形態のデジタル放送受像機において、情報取得手段及び情報設定手段を備えるようにする。図１を再度参照すると、実際にはこれら情報取得手段及び情報設定手段（図示せず）としてＣＰＵ３又は他の演算装置を機能させるためのプログラムを、メモリ８，ＲＯＭ等の記憶装置に格納しておくとよい。情報取得手段は、チューナタイプのアタッチメントが接続されたとき、選局に必要な情報を電波より取得する。情報設定手段は、情報取得手段で取得した情報を選局キーに設定する。例えば、着脱式チューナがＢＳデジタル放送受信用，ＣＳデジタル放送受信用，地上波デジタル放送受信用等のうち、初めて取り付けられた種類のチューナであった場合には、現在受信可能なチャンネルの検索や初期設定等、初回に必要な処理を自動的に開始することにより、ユーザが手動で行なう手間を省くことができ、同時に必要な処理や設定をし忘れるということも防ぐことができる。
【００５１】
さらに、他の形態として、チューナタイプのアタッチメントが接続されたときに、情報設定手段にて情報の選局キーへの設定を行ったかどうか判別する設定判別手段を備え、情報取得手段は、既に情報の選局キーへの設定が終わっている２回目以降の接続に対しては、情報の取得を行わないようにしてもよい。このように、２回目以降の取り付けの際にはユーザの指示がない限りは行なわないようにすることにより、無駄な操作時間を発生させないで済む。また、上述のそれぞれのデジタル放送が開始してからしばらくの間は、放送局の増減がある可能性もあるため、定期的にチャンネルの検索を自動で行なうようにしてもよい。
【００５２】
処理例としては、まず、ＣＰＵ３が外部接続機器１０を認識する際にＩＤを読み取り、メモリ８に登録されていないＩＤであれば初めての取り付けと見なして初期設定画面を表示し、ＩＤもメモリ８に記録しておく。読み込んだＩＤが既に記録されているものであれば、既に取り付けられたことのあるチューナと判断して受信可能なチャンネルの検索や初期設定画面の表示は行なわないようにするとよい。
【００５３】
図１２は、図１１のメニュー画面の下段にある、新しくチャンネルが追加された番組表の一例を示す図である。
情報取得手段により、検索の結果、新しいチャンネルを見つけ出した場合は、図１２のごとき画面８０上に表示する番組表（ＥＰＧ；Ｅｌｅｃｔｒｏｎｉｃ　Ｐｒｏｇｒａｍ　Ｇｕｉｄｅ）８１に、そのチャンネル８２を追加し、既存のチャンネルとは色を変えたり、印をつけたり、点滅させるなどの強調表示をする。この場合もやはり、上述したような方法で強調表示をする回数や時間に伴い、強調表示を止めるとよい。
【００５４】
さらに、初期設定や受信可能なチャンネルの検索を行なった後の時点で転居等を行ない、使用地域が変わった場合には、ユーザが再度初期設定を行なわなければならないが、初期設定の変更終了後に自動的に受信可能なチャンネルの検索を行なうようにすることもできる。
【００５５】
【発明の効果】
本発明によれば、アタッチメントの着脱状態により生じる変化が判り易く、且つ、不必要な項目の表示の無いメニューを作成し、ユーザに提供できる。すなわち、本発明によれば、アタッチメントの着脱状態によらず、機能毎にまとめられた判り易いメニュー表示を実現できる。また、本発明によれば、変化とアタッチメントの色合わせにより、何によって生じた変化なのかも理解し易いメニュー表示が可能となる。
【００５６】
さらに、本発明によれば、チューナタイプのアタッチメントを装着した場合には、必要性に応じて自動でチャンネル情報の取得を行なうことができ、選局動作の利便性も向上する。
【図面の簡単な説明】
【図１】本発明の一実施形態に係るデジタル放送受像機の基本構成例を示すブロック図である。
【図２】地上波デジタル放送受信用着脱式チューナを接続していない状態のメニュー項目テーブルの一例を示す図である。
【図３】図２のメニュー項目テーブルに対応した、地上波デジタル放送受信用着脱式チューナを接続していない状態のメニュー画面の一例を示す図である。
【図４】地上波デジタル放送受信用着脱式チューナを接続した直後の状態のメニュー項目テーブルの一例を示す図である。
【図５】図４のメニュー項目テーブルに対応した、地上波デジタル放送受信用着脱式チューナを接続した直後の状態のメニュー画面の一例を示す図である。
【図６】図４のメニュー項目テーブルに対応した、地上波デジタル放送受信用着脱式チューナを接続してから一定条件をクリアした状態のメニュー画面の一例を示す図である。
【図７】地上波デジタル放送受信用着脱式チューナを外した直後の状態のメニュー項目テーブルの一例を示す図である。
【図８】図７のメニュー項目テーブルに対応した、地上波デジタル放送受信用着脱式チューナを外した直後の状態のメニュー画面の一例を示す図である。
【図９】地上波デジタル放送受信用着脱式チューナを接続又は非接続した直後の状態のメニュー項目テーブルの他の例を示す図で、表示が時間で管理されたメニュー項目テーブルの一例を示す図である。
【図１０】地上波デジタル放送受信用着脱式チューナを接続又は非接続した直後の状態のメニュー項目テーブルの他の例を示す図で、表示が日数で管理されたメニュー項目テーブルの一例を示す図である。
【図１１】地上波デジタル放送受信用着脱式チューナを接続した直後の状態のメニュー画面（追加機能の説明表示）の一例を示す図である。
【図１２】図１１のメニュー画面の下段にある、新しくチャンネルが追加された番組表の一例を示す図である。
【符号の説明】
１…チューナ及び復調部、２…ＴＳデコーダ、３…ＣＰＵ、４…ＡＶデコーダ、５…音声出力部、６…映像出力部、７…グラフィックス生成部、８…メモリ、９…外部機器接続インターフェース、１０…外部接続機器（着脱式チューナ等のアタッチメント）、１１…機能項目記憶手段、１２…メニュー表示手段、１３…機能判別手段、１４…メニュー編集手段、１５…表示強調手段。
【図１】
2004088618.tif 000003
【図２】
2004088618.tif 000004
【図３】
2004088618.tif 000005
【図４】
2004088618.tif 000006
【図５】
2004088618.tif 000007
【図６】
2004088618.tif 000008
【図７】
2004088618.tif 000009
【図８】
2004088618.tif 000010
【図９】
2004088618.tif 000011
【図１０】
2004088618.tif 000012
【図１１】
2004088618.tif 000013
【図１２】
2004088618.tif 000014